(57)【要約】【課題】光沢感のある優れた外観を呈し、耐久性にも優れた時計用文字板を提供すること、また、当該時計用文字板を備えた時計を提供すること。【解決手段】時計用文字板１は、基板２上に、複数の鱗片状の粉末３１が分散した分散部３を備えている。分散部３の表面には、複数の平坦面３３が設けられている。粉末３１を平面視した際の平均面積をＳ０［μｍ２］、平坦面３３の平均面積をＳ１［μｍ２］としたとき、０．３≦Ｓ１／Ｓ０の関係を満足するのが好ましい。【選択図】図１
2011043361.tif 000002
【特許請求の範囲】
【請求項１】
複数の鱗片状の粉末が分散した分散部を備え、
前記分散部の表面に、複数の平坦面が設けられていることを特徴とする時計用文字板。
【請求項２】
前記粉末を平面視した際の平均面積をＳ０［μｍ２］、前記平坦面の平均面積をＳ１［μｍ２］としたとき、０．３≦Ｓ１／Ｓ０の関係を満足する請求項１に記載の時計用文字板。
【請求項３】
前記粉末を平面視した際の平均面積が６４００μｍ２以上１９６００μｍ２以下である請求項１または２に記載の時計用文字板。
【請求項４】
時計用文字板を平面視した際に、前記分散部のうち前記平坦面が占める面積の割合が４０％以上である請求項１ないし３のいずれかに記載の時計用文字板。
【請求項５】
前記粉末は、プラスチック製の基部上に金属薄膜が設けられたものである請求項１ないし４のいずれかに記載の時計用文字板。
【請求項６】
前記分散部は、スクリーン印刷法により形成されたものである請求項１ないし５のいずれかに記載の時計用文字板。
【請求項７】
請求項１ないし６のいずれかに記載の時計用文字板を備えたことを特徴とする時計。
【発明の詳細な説明】
【技術分野】
【０００１】
本発明は、時計用文字板および時計に関する。
【背景技術】
【０００２】
時計用文字板には、視認性等の実用性が求められるとともに、装飾性（美的外観）も求められる。
一般に、時計用の文字板には、時刻を示す等の機能を有する文字・数字（いわゆる時字等）、目盛、記号や、各種マーク等の指標が用いられている。
このような指標の形成方法としては、広く、印刷法が用いられている。
しかしながら、従来の印刷法により形成された指標では、高級感に劣るという問題点があった。
【０００３】
一方、植字と称される植設材を取り付け固定する方法が、特に、高級時計等で採用されている（例えば、特許文献１参照）。しかしながら、このような方法では、植設材を一つ一つ手作業で基板に固定（植字）しなければならず、工程やコストの増加につながっていた。また、植設材を取り付け固定する方法で製造された時計用文字板では、比較的大きな外力（衝撃力）等が加わると、植設材が文字板本体（基板）から脱離してしまうことがあった。また、このような方法で用いる植設材は、一般に、文字板本体に植設するための足部を有しているが、この足部は、他の部位に比べて細くなっている。このため、比較的大きな外力等が加わると、足部が折れてしまう等の問題点があった。上記のような問題は、植設材の高さが高いほど発生し易くなる傾向がある。
【先行技術文献】
【特許文献】
【０００４】
【特許文献１】特開２００３−２４７０９６号公報
【発明の概要】
【発明が解決しようとする課題】
【０００５】
本発明の目的は、光沢感のある優れた外観を呈し、耐久性にも優れた時計用文字板を提供すること、また、当該時計用文字板を備えた時計を提供することにある。
【課題を解決するための手段】
【０００６】
このような目的は、下記の本発明により達成される。
本発明の時計用文字板は、複数の鱗片状の粉末が分散した分散部を備え、
前記分散部の表面に、複数の平坦面が設けられていることを特徴とする。
これにより、光沢感のある優れた外観を呈し、耐久性にも優れた時計用文字板を提供することができる。
【０００７】
本発明の時計用文字板では、前記粉末を平面視した際の平均面積をＳ０［μｍ２］、前記平坦面の平均面積をＳ１［μｍ２］としたとき、０．３≦Ｓ１／Ｓ０の関係を満足することが好ましい。
これにより、時計用文字板の美的外観を特に優れたものとすることができる。
本発明の時計用文字板では、前記粉末を平面視した際の平均面積が６４００μｍ２以上１９６００μｍ２以下であることが好ましい。
これにより、時計用文字板の美的外観を特に優れたものとすることができる。また、時計用文字板の耐久性を特に優れたものとすることができる。
本発明の時計用文字板では、時計用文字板を平面視した際に、前記分散部のうち前記平坦面が占める面積の割合が４０％以上であることが好ましい。
これにより、時計用文字板の美的外観を特に優れたものとすることができる。
【０００８】
本発明の時計用文字板では、前記粉末は、プラスチック製の基部上に金属薄膜が設けられたものであることが好ましい。
これにより、時計用文字板の美的外観を特に優れたものとすることができる。
本発明の時計用文字板では、前記分散部は、スクリーン印刷法により形成されたものであることが好ましい。
これにより、多数の平坦面が好適に配置された分散部を確実に形成することができ、時計用文字板の美的外観を特に優れたものとすることができる。
【０００９】
本発明の時計は、本発明の時計用文字板を備えたことを特徴とする。
これにより、光沢感のある優れた外観を呈し、耐久性にも優れた時計用文字板を備えた時計を提供することができる。また、時計用文字板は、時計全体としての外観に大きな影響を与えるため、上記のような時計用文字板を備えた時計は、全体としての美的外観に優れたものとなる。
【発明の効果】
【００１０】
本発明によれば、光沢感のある優れた外観を呈し、耐久性にも優れた時計用文字板を提供すること、また、当該時計用文字板を備えた時計を提供することができる。
【図面の簡単な説明】
【００１１】
【図１】本発明の時計用文字板の好適な実施形態を示す模式的に断面図である。
【図２】本発明の時計用文字板の製造方法の好適な実施形態を模式的に示す断面図である。
【図３】本発明の時計（腕時計）の好適な実施形態を模式的に示す断面図である。
【発明を実施するための形態】
【００１２】
以下、本発明の好適な実施形態について、添付図面を参照しつつ説明する。なお、本明細書で参照する図面は、構成の一部を強調して示したものであり、実際の寸法等を正確に反映したものではない。
＜時計用文字板＞
図１は、本発明の時計用文字板の好適な実施形態を模式的に示す断面図である。
図１に示すように、本実施形態の時計用文字板１は、基板２と、光を反射する機能を有する複数の鱗片状の粉末（光沢性粉末）３１が分散した分散部３とを有している。
通常、時計用文字板１は、時計に組み込まれた状態において、図１中の上側が観察者側（外表面側）を向き、図１中の下側が内面側を向くようにして用いられるものである。以下の説明では、図１中の上側を「上側」、図１中の下側を「下側」という（図２についても同様）。
【００１３】
［基板］
基板２は、後に詳述するような粉末３１を含む分散部３を保持する機能を有するものであり、時計用文字板１の主要部をなすものである。
基板２は、いかなる材料で構成されたものであってもよい。
基板２の構成材料としては、例えば、各種金属材料、各種非金属材料等を用いることができる。
【００１４】
基板２が金属材料で構成されたものである場合、特に優れた強度特性を有する時計用文字板１を提供することができる。また、基板２が金属材料で構成される場合、基板（文字板本体）２自体が、優れた光沢を有するものとなり、時計用文字板１全体としての美的外観を特に優れたものとすることができる。
基板２が非金属材料で構成される場合、例えば、一般に、比較的軽量で携帯し易い時計用文字板１を提供することができる。
【００１５】
基板２を構成する金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇや、これらのうち少なくとも１種を含む合金（例えば、青銅、真鍮、洋白等）等が挙げられる。
また、基板２を構成する非金属材料としては、例えば、セラミックス、プラスチック（特に耐熱性プラスチック）、石材、木材等が挙げられる。
【００１６】
基板２がセラミックスで構成される場合、特に優れた強度、硬度を有する時計用文字板１を得ることができる。
また、基板２がプラスチックで構成される場合、比較的容易に、所望の形状に成形することができる。
基板２は、各部位でその組成が実質的に均一な組成を有するものであってもよいし、部位によって組成の異なるものであってもよい。例えば、基板２は、基部と、該基部上に設けられたコート層とを有するものであってもよい。
【００１７】
また、基板２の形状、大きさは、特に限定されず、通常、時計用文字板１の形状、大きさに基づいて決定される。なお、図示の構成では、基板（文字板本体）２は、平板状をなすものであるが、例えば、湾曲板状等をなすものであってもよい。
基板２の平均厚さは、特に限定されないが、２００μｍ以上７００μｍ以下であるのが好ましく、３００μｍ以上６００μｍ以下であるのがより好ましい。基板２の平均厚さが前記範囲内の値であると、時計用文字板１が適用される時計が、厚型化するのを効果的に防止しつつ、時計用文字板１の機械的強度、形状の安定性等を十分に優れたものとすることができる。
基板２は、圧縮成形、射出成形等、いかなる方法で成形されたものであってもよい。また、基板２の表面に対しては、例えば、鏡面加工、スジ目加工、梨地加工等の表面加工が施されてもよい。これにより、得られる時計用文字板１の質感にバリエーションを持たせることが可能となり、時計用文字板１の美的外観の更なる向上を図ることができる。
【００１８】
［分散部］
基板２上には、光を反射する機能を有する複数の鱗片状の粉末（光沢性粉末）３１が分散媒３２中に分散した分散部３が設けられている。
分散部３の表面には、複数の平坦面３３が設けられている。このように、分散部３の表面に複数の平坦面３３が設けられることにより、時計用文字板１の外観を光沢感のある優れたものとすることができる。より詳しく説明すると、複数の平坦面３３により光を異なる方向に反射し、カットダイヤ（カットされたダイヤモンド）のような高級感のある外観を呈する。また、分散部３は、基板２に対する密着性にも優れており、時計用文字板１全体の耐久性も優れたものとなる。
これに対し、分散部を有していたとしても平坦面を有さない場合は、時計用文字板の美的外観を十分に優れたものとすることはできない。
【００１９】
平坦面３３は、実質的に平坦な面（平面）であればよく、例えば、１０００μｍ２以上の面積を有し、かつ、最大高低差が１０μｍ以下の条件を満足する略平面の部位と定義することができる。また、平坦面３３における最大高低差は、８μｍ以下であるのが好ましく、５μｍ以下であるのがより好ましい。
また、図示のように、本実施形態では、分散部３を構成する複数の平坦面３３は、分散部３の外表面の各部位から最も近くに存在する粉末３１の主面に対応する部位（粉末３１の法線方向から観察した際に重なり合う部位）に、当該粉末３１の主面と略平行となるように、設けられている。これにより、時計用文字板１の美的外観を特に優れたものとすることができる。このように、複数の平坦面３３が配置された分散部３は、後に詳述するような粉末３１を含む組成物を用いることにより確実に形成することができる。
【００２０】
分散部３が有する平坦面３３全体（複数の平坦面３３の面積の総和）に対し、分散部３の外表面の各部位から最も近くに存在する粉末３１の主面に対応する部位に、当該粉末３１の主面と略平行となるように、設けられている部位の面積の割合が、面積率で、２０％以上であるのが好ましく、３０％以上であるのがより好ましく、５０％以上であるのがさらに好ましい。なお、ここで、「略平行」とは、例えば、平坦面３３と粉末３１の主面とのなす角が８０°以上１００°以下のことを指すものとすることができる。
また、時計用文字板１を平面視した際に分散部３のうち平坦面３３が占める面積の割合は、４０％以上であるのが好ましく、５０％以上であるのがより好ましく、６０％以上であるのがさらに好ましい。これにより、時計用文字板１の美的外観を特に優れたものとすることができる。
【００２１】
粉末３１を平面視した際の平均面積をＳ０［μｍ２］、平坦面３３の平均面積をＳ１［μｍ２］としたとき、０．３≦Ｓ１／Ｓ０の関係を満足するのが好ましく、０．４≦Ｓ１／Ｓ０の関係を満足するのがより好ましく、０．５≦Ｓ１／Ｓ０の関係を満足するのがさらに好ましい。このような関係を満足することにより、時計用文字板１の美的外観を特に優れたものとすることができる。
また、分散部３は、スクリーン印刷法により形成されたものであるのが好ましい。これにより、多数の平坦面３３が好適に配置された分散部３を確実に形成することができ、時計用文字板１の美的外観を特に優れたものとすることができる。なお、スクリーン印刷法を用いた分散部３の形成方法については、後に詳述する。
【００２２】
粉末３１としては、鱗片状をなすものであればよいが、特に、略直方体状をなすものであるのが好ましい。言い換えると、粉末３１は、平面視した際の形状が、略長方形であるのが好ましい。これにより、時計用文字板１の美的外観を特に優れたものとすることができる。
粉末３１を平面視した際の平均面積は、６４００μｍ２以上１９６００μｍ２以下であるのが好ましく、７２００μｍ２以上１６９００μｍ２以下であるのがより好ましく、７５００μｍ２以上１５６００μｍ２以下であるのがさらに好ましい。粉末３１を平面視した際の平均面積が前記範囲内の値であると、好適な平坦面３３を確実に形成することができ、時計用文字板１の美的外観を特に優れたものとすることができる。また、粉末３１を平面視した際の平均面積が前記範囲内の値であると、分散部３の基板２に対する密着性を特に優れたものとすることができ、時計用文字板１全体の耐久性を特に優れたものとすることができる。
【００２３】
粉末３１の平均厚さは、１０μｍ以上３０μｍ以下であるのが好ましく、１２μｍ以上２８μｍ以下であるのがより好ましく、１４μｍ以上２６μｍ以下であるのがさらに好ましい。粉末３１の平均厚さが前記範囲内の値であると、好適な平坦面３３を確実に形成することができ、時計用文字板１の美的外観を特に優れたものとすることができる。また、粉末３１の平均厚さが前記範囲内の値であると、分散部３の基板２に対する密着性を特に優れたものとすることができ、時計用文字板１全体の耐久性を特に優れたものとすることができる。
【００２４】
また、粉末３１を平面視した際の形状が略正方形である場合、粉末３１の平均厚さは、前記正方形の一辺の長さよりも短いものであればよいが、前記正方形の一辺の長さに対し、７％以上８０％以下であるのが好ましく、９％以上３５％以下であるのがより好ましく、１１％以上３０％以下であるのがさらに好ましい。これにより、好適な平坦面３３を確実に形成することができ、時計用文字板１の美的外観を特に優れたものとすることができる。また、分散部３の基板２に対する密着性を特に優れたものとすることができ、時計用文字板１全体の耐久性を特に優れたものとすることができる。
【００２５】
そして、本実施形態において、粉末３１は、プラスチック製の基部３１１上に金属薄膜３１２が設けられたものである。粉末３１がこのような構成のものであることにより、後に詳述するような製造方法において、粉末３１を含む組成物が、スクリーン版のメッシュを通過する際に、粉末３１が好適に弾性変形することができ、スクリーン版のメッシュで目詰まりを生じることが確実に防止される。そして、粉末３１をスクリーン版のメッシュを容易かつ確実に通過させることができ、かつ、基板２上に付与される組成物の各部位での粉末３１の含有率のばらつきを抑制することができる。したがって、時計用文字板１の生産性を優れたものとしつつ、金属材料が有する特有の光沢感を得られる時計用文字板１の外観に反映させることができ、時計用文字板１の美的外観を特に優れたものとすることができる。特に、本実施形態では、粉末３１は、プラスチック製の基部３１１の両面に、対称的に金属薄膜３１２が設けられたものである。これにより、後に詳述するような製造方法において、スクリーン版のメッシュを組成物が通過する際に、粉末３１がより好適に弾性変形することができ、スクリーン版のメッシュで目詰まりを生じることがより確実に防止される。また、粉末３１が上記のような構成を有するものであることにより、時計用文字板１の温度が変化した場合であっても、粉末３１が変形することが確実に防止される。その結果、時計用文字板１において、温度変化により、粉末３１と分散媒３２との密着性が低下したり、基板２と分散部３との密着性が低下することが確実に防止され、時計用文字板１の耐久性、信頼性を特に優れたものとすることができる。
【００２６】
基部３１１を構成するプラスチック材料としては、例えば、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができるが、基部３１１は、ポリエステル樹脂で構成されたものであるのが好ましい。これにより、時計用文字板１の生産性を特に優れたものとしつつ、得られる時計用文字板１の美的外観を特に優れたものとすることができる。なお、本明細書中において、「主として」、「主とする」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
基部３１１の平均厚さは、７μｍ以上２９．９μｍ以下であるのが好ましく、１０μｍ以上２７．８μｍ以下であるのがより好ましい。これにより、時計用文字板１の生産性を特に優れたものとしつつ、時計用文字板１の美的外観および光透過性を特に優れたものとすることができる。
【００２７】
金属薄膜３１２を構成する金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇや、これらのうち少なくとも１種を含む合金（例えば、青銅、真鍮、洋白等）等が挙げられるが、中でも、Ｃｕ、Ａｌ、Ａｕ、Ｐｔ、Ａｇが好ましい。これにより、製造される時計用文字板１の美的外観を特に優れたものとすることができる。
【００２８】
金属薄膜３１２の平均厚さは、０．０１μｍ以上３．０μｍ以下であるのが好ましく、０．０２μｍ以上２．０μｍ以下であるのがより好ましい。金属薄膜３１２の平均厚さが前記範囲内の値であると、基部３１１の厚さが相対的に薄くなってしまうのを効果的に防止しつつ、粉末３１において金属薄膜３１２を構成する金属材料の質感を十分に発揮させることができる。これにより、時計用文字板１の生産性を特に優れたものとしつつ、時計用文字板１の美的外観を特に優れたものとすることができる。また、時計用文字板１の光透過性を特に優れたものとすることができる。
【００２９】
上記のような粉末３１は、以下のようにして製造されたものであるのが好ましい。すなわち、粉末３１は、プラスチック製のシート材（基部３１１の厚さに相当する厚さのシート材）上に、真空蒸着、スパッタリング、イオンプレーティング等の気相成膜法により、金属層（金属薄膜３１２の厚さに相当する金属層）を形成し、その後、所定の大きさ（粉末３１の平均粒径に相当する大きさ）に裁断することにより得られたものであるのが好ましい。これにより、基部３１１と金属薄膜３１２との密着性に優れ、美的外観に優れる粉末３１を容易かつ確実に得ることができる。
なお、図示の構成では、基部３１１の両側の表面（主面）に金属薄膜３１２が設けられているが、金属薄膜３１２は、基部３１１の一方の面のみに設けられていてもよい。
【００３０】
分散部３中における粉末３１の含有率は、５ｖｏｌ％以上４０ｖｏｌ％以下であるのが好ましく、７ｖｏｌ％以上３５ｖｏｌ％以下であるのがより好ましく、１０ｖｏｌ％以上３３ｖｏｌ％以下であるのがさらに好ましい。分散部３中における粉末３１の含有率が前記範囲内の値であると、分散部３の基板２に対する密着性を十分に優れたものとし、時計用文字板１の耐久性を十分に優れたものとしつつ、粉末３１を分散部３の表面形状に沿うように確実に配置させることができ、好適な平坦面３３を有する分散部３を確実に形成することができ、時計用文字板１の美的外観を特に優れたものとすることができる。
【００３１】
分散部３を構成する分散媒３２は、固体状をなしており、複数個の粉末３１が凝集してしまうのを防止する機能を有している。
分散媒３２は、いかなる材料で構成されたものであってもよいが、光透過性を有する材料で構成されたものであるのが好ましい。これにより、粉末３１そのものの外観を、時計用文字板１の外観に反映させることができ、時計用文字板１の美的外観を特に優れたものとすることができる。
【００３２】
分散媒３２は、樹脂材料で構成されたものであるのが好ましく、硬化性樹脂の硬化物で構成されたものであるのがより好ましい。これにより、分散部３の基板２との密着性を特に優れたものとし、時計用文字板１の耐久性を特に優れたものとすることができる。
分散部３を構成する分散媒３２の屈折率をｎＭ、前記基板の構成材料の屈折率をｎＢとしたとき、｜ｎＭ−ｎＢ｜≦０．１８の関係を満足するのが好ましく、｜ｎＭ−ｎＢ｜≦０．０７の関係を満足するのがより好ましい。このような関係を満足することにより、時計用文字板１の美的外観を特に優れたものとすることができる。
【００３３】
分散部３の平均厚さは、２５μｍ以上５００μｍ以下であるのが好ましく、３０μｍ以上２５０μｍ以下であるのがより好ましく、４０μｍ以上２００μｍ以下であるのがさらに好ましい。
上記のような分散部３は、例えば、時計用文字板１において、指標としての機能を発揮することができる。なお、本発明において、指標とは、時刻、時計の向き、時計が備えている機能、時計のブランド、型番等を、使用者等が認識するのに寄与するもの等のことを指す。指標の具体例としては、文字・数字（いわゆる時字等）、目盛、記号や、各種マーク等が挙げられる。
【００３４】
上述したような分散部を備える時計用文字板は、以下に述べるような方法で好適に製造することができる。
＜時計用文字板の製造方法＞
次に、上述した時計用文字板１の製造方法について説明する。
図２は、本発明の時計用文字板の製造方法の好適な実施形態を模式的に示す断面図である。
本実施形態の製造方法は、基板２を準備する基板準備工程（１ａ）と、基板２上に、所定のパターンで、粉末３１と硬化性樹脂３２’とを含む組成物３’を付与する組成物付与工程（１ｂ）と、硬化性樹脂３２’を硬化させ固形状の分散媒（硬化部）３２とし、分散部３を形成する分散部形成工程（１ｃ）とを有している。
【００３５】
［基板準備工程］
まず、基板（文字板本体）２を準備する（１ａ）。
基板２としては、前述したようなものを用いることができる。
また、基板２は、その表面の一部に、親液処理、撥液処理が施されたものであっていてもよい。より具体的には、基板２上の組成物３’を付与すべき部位（分散部３を形成すべき部位）に親液処理を施したり、基板２上の組成物３’を付与すべき部位（分散部３を形成すべき部位）以外の部位に撥液処理を施したりしてもよい。これにより、後に詳述する組成物付与工程において、容易かつ確実に、基板２上の所望の部位に、選択的に組成物３’を付与することができる。その結果、時計用文字板１において、所望の形状、パターンの分散部３を、より確実に形成することができる。また、基板２上の組成物３’が付与されない部位に撥液処理が施されることにより、得られる時計用文字板１において、汚れ等の付着を防止することができるため、時計用文字板１の信頼性を特に優れたものとすることができる。
また、基板２の表面に対しては、後述する工程に先立ち、各種洗浄処理を施してもよい。これにより、例えば、基板２と組成物３’（分散部３）との密着性を特に優れたものとすることができる。
【００３６】
［組成物付与工程］
次に、基板２上に、粉末３１と硬化性樹脂３２’とを含む組成物３’を付与する（１ｂ）。
特に、本実施形態では、スクリーン印刷法により、基板２の表面に、所定のパターンで、流動性を有する組成物３’を付与する。すなわち、基板２の表面において、組成物３’が付与された領域と、組成物３’が付与されていない領域とが混在するようにする。組成物３’を付与するパターンは、形成すべき分散部３の形状・パターンに応じて決定される。
【００３７】
スクリーン印刷法を用いることにより、複数個の基板２に対して、個体間でのばらつきを防止しつつ、所定のパターンで繰り返し組成物３’を付与することができる。このため、品質の安定性に優れた時計用文字板１の大量生産に好適に適用することができる。
スクリーン印刷は、ワイヤーにより構成されたメッシュを有するスクリーン版上に、組成物３’を配した状態で、スクリーン版の上面（組成物３’が配された面）を、スキージで押圧することにより行う。
【００３８】
本工程で、基板２上に付与される組成物３’は、粉末３１と硬化性樹脂３２’とを含むものである。
そして、粉末３１は、プラスチック製の基部３１１上に金属薄膜３１２が設けられたものである。粉末３１がこのような構成のものであることにより、スクリーン版のメッシュを組成物３’が通過する際に、粉末３１が好適に弾性変形することができ、スクリーン版のメッシュで目詰まりを生じることが確実に防止される。そして、粉末３１をスクリーン版のメッシュを容易かつ確実に通過させることができ、かつ、基板２上に付与される組成物３’（形成すべき分散部３に対応するようにパターニングされた組成物３’）の各部位での粉末３１の含有率のばらつきを抑制することができる。したがって、時計用文字板１の生産性を優れたものとしつつ、得られる時計用文字板１の美的外観を優れたものとすることができる。特に、本実施形態では、粉末３１は、プラスチック製の基部３１１の両面に金属薄膜３１２が設けられたものである。これにより、スクリーン版のメッシュを組成物３’が通過する際に、粉末３１がより好適に弾性変形することができ、スクリーン版のメッシュで目詰まりを生じることがより確実に防止される。また、粉末３１が上記のような構成を有するものであることにより、時計用文字板１の製造過程において、基部３１１の構成材料の熱膨張率と、金属薄膜３１２の構成材料の熱膨張率との違いにより、粉末３１に反りが生じるのを確実に防止することができる。その結果、製造される時計用文字板１の美的外観を確実に優れたものとすることができる。また、時計用文字板１の温度が変化した場合であっても、粉末３１が変形することが確実に防止される。その結果、時計用文字板１において、温度変化により、粉末３１と硬化性樹脂３２’の硬化物により形成された分散媒３２との密着性が低下したり、基板２と分散部３との密着性が低下することが確実に防止され、時計用文字板１の耐久性、信頼性を特に優れたものとすることができる。
【００３９】
硬化性樹脂３２’は、未硬化または半硬化の状態のものである。
硬化性樹脂３２’としては、エネルギー線（例えば、熱（熱線）、光（紫外線等の可視光以外の光を含む）、電子線）により硬化する樹脂材料を用いることができ、例えば、熱硬化性樹脂、光硬化性樹脂、電子線硬化性樹脂等を用いることができる。硬化性樹脂３２’として光硬化性樹脂を用いた場合、時計用文字板１の生産性を特に優れたものとすることができる。また、製造時における、時計用文字板１の構成材料の劣化等をより確実に防止することができ、製造される時計用文字板１の信頼性を特に優れたものとすることができる。
【００４０】
組成物３’は、上述した粉末３１および硬化性樹脂３２’以外の成分を含むものであってもよい。このような成分としては、例えば、各種溶剤（粉末３１を分散（固／液分散）する分散媒や硬化性樹脂３２’を溶解する溶媒として機能するもの）、分散剤、熱可塑性樹脂等が挙げられる。
そして、粉末３１および硬化性樹脂３２’を含む組成物３’の２５℃における粘度は、８０００ｃｐｓ以上２００００ｃｐｓ以下であるのが好ましい。組成物３’の粘度が前記範囲内の値であることにより、上記のような比較的大きな粉末３１（スクリーン版のメッシュ粗さに対して比較的大きい粉末３１）を含む組成物３’を、スクリーンのメッシュを通過させる際に、粉末３１を好適に弾性変形させ、目詰まりを生じたり、組成物３’中における粉末３１の分散状態が悪化するのを防止することができる。これに対し、組成物３’の粘度が小さすぎると、粉末３１を弾性変形させることが困難となり、また、粉末３１のメッシュへの目詰まりが発生し易くなる。また、組成物３’の粘度が大きすぎると、スクリーン印刷の効率（作業性）が著しく低下するとともに、上記のような粉末３１の弾性変形が生じにくくなる。その結果、時計用文字板１の生産性が低下するとともに、製造される時計用文字板１の美的外観を招く可能性がある。上記のように、粉末３１および硬化性樹脂３２’を含む組成物３’の２５℃における粘度は、８０００ｃｐｓ以上２００００ｃｐｓ以下であるのが好ましいが、１２０００ｃｐｓ以上１９０００ｃｐｓ以下であるのがより好ましく、１５０００ｃｐｓ以上１８０００ｃｐｓ以下であるのがさらに好ましい。これにより、上述したような効果はより顕著に発揮される。
【００４１】
本工程では、スクリーン版として、ワイヤーにより構成されたメッシュを備え、メッシュの一部が版膜により塞がれたものを用いる。これにより、メッシュのうち版膜により塞がれていない領域において、選択的に、ワイヤー間の隙間から、組成物３’が基板２上に供給されるように構成されている。
そして、本工程で用いるスクリーン版は、少なくとも表面付近がポリ四フッ化エチレンで構成されたワイヤーを備え、メッシュ粗さが２０番以上１２０番以下であり、かつ、ワイヤーの直径が５０μｍ以上１２０μｍ以下であるものであるのが好ましい。これにより、スクリーン印刷の印刷速度を優れたものとしつつ、粉末３１がスクリーン版のメッシュを通過するに際して、粉末３１を好適に弾性変形させることができるとともに、メッシュを通過した後は、その形状を速やかに復元させることができる。その結果、製造される時計用文字板１においては、粉末３１により、光を効果的に反射することができ、時計用文字板１の美的外観を特に優れたものとすることができる。
【００４２】
上記のように、本工程で用いるスクリーン版は、少なくとも表面付近がポリ四フッ化エチレンで構成されたワイヤーを備えたものであるのが好ましいが、ワイヤー全体が、ポリ四フッ化エチレンで構成されたものであるのがより好ましい。これにより、上述したような効果はより顕著に発揮される。
また、上記のように、本工程で用いるスクリーン版のメッシュ粗さは、２０番以上１２０番以下であるのが好ましいが、３０番以上１００番以下であるのがより好ましく、５０番以上７０番以下であるのがさらに好ましい。これにより、上述したような効果はより顕著に発揮される。
また、上記のように、本工程で用いるスクリーン版を構成するワイヤーの直径は、５０μｍ以上１２０μｍ以下であるのが好ましいが、５０μｍ以上９０μｍ以下であるのがより好ましく、６０μｍ以上７０μｍ以下であるのがさらに好ましい。これにより、上述したような効果はより顕著に発揮される。
スキージの構成材料としては、例えば、ウレタン系ゴム、シリコーン系ゴム、各種合成ゴム、各種金属等を用いることができるが、中でも、ウレタン系ゴムが好ましい。
【００４３】
上記のように、所定の条件を満足する組成物３’を用いて、所定の条件でスクリーン印刷を行うことにより、スクリーン印刷を効率よく行うことででき、また、組成物３’がスクリーン版のメッシュを通過する際に、粉末３１を好適に弾性変形させるとともに、メッシュの通過後は速やかにその形状を復元させることができ、また、形成される分散部３において粉末３１を好適に配向させることができ、上述したような平坦面３３を複数有する分散部３を好適に形成することができる。また、にじみやダレ等の発生を効果的に防止し、輪郭のシャープな分散部３を形成することができる。その結果、時計用文字板１の生産性を優れたものとしつつ、特に優れた美的外観を有する時計用文字板１を得ることができる。
【００４４】
［分散部形成工程］
次に、組成物３’を構成する硬化性樹脂３２’を硬化させ、固体状の分散媒３２中に多数の粉末３１が分散(固／固分散)した分散部３とする（１ｃ）。これにより、時計用文字板１が得られる。このようにして形成される分散部３は、複数の粉末３１の主面が異なる方向を向き、複数の平坦面３３を有するものとなっているため、得られる時計用文字板１は、美的外観に優れている。また、分散部３は、粉末３１が分散した組成物３’を用いて製造されたものであるため、粉末３１が分散媒(硬化部)３２に確実に固定されており、時計用文字板１の使用時に粉末３１が脱落してしまうことが効果的に防止されている。したがって、時計用文字板１は、耐久性、信頼性にも優れたものとなる。
硬化性樹脂３２’の硬化は、硬化性樹脂３２’の種類に応じた方法により行う。例えば、硬化性樹脂３２’が熱硬化性樹脂である場合には加熱により行い、硬化性樹脂３２’が光硬化性樹脂である場合には、光（エネルギー線）の照射により行う。
【００４５】
＜時計＞
次に、上述したような本発明の時計用文字板１を備えた本発明の時計について説明する。
本発明の時計は、上述したような本発明の時計用文字板を有するものである。なお、本発明の時計を構成する前記時計用文字板（本発明の時計用文字板）以外の部品としては、公知のものを用いることができるが、以下に、本発明の時計の構成の一例について説明する。
【００４６】
図３は、本発明の時計（腕時計）の好適な実施形態を模式的に示す断面図である。
図３に示すように、本実施形態の腕時計（携帯時計）１００は、胴（ケース）１０２と、裏蓋１０３と、ベゼル（縁）１０４と、ガラス板（カバーガラス）１０５とを備えている。また、ケース１０２内には、前述したような時計用文字板１と、ムーブメント１０１とが収納されており、さらに、図示しない針（指針）等が収納されている。
【００４７】
ガラス板１０５は、通常、透明性の高い透明ガラスやサファイア等で構成されている。これにより、時計用文字板１の美的外観を十分に発揮させることができる。
図３中では省略しているが、ムーブメント１０１内には、例えば、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
【００４８】
胴１０２には巻真パイプ１０６が嵌入・固定され、この巻真パイプ１０６内にはりゅうず１０７の軸部１０７１が回転可能に挿入されている。
胴１０２とベゼル１０４とは、プラスチックパッキン１０８により固定され、ベゼル１０４とガラス板１０５とはプラスチックパッキン１０９により固定されている。
また、胴１０２に対し裏蓋１０３が嵌合（または螺合）されており、これらの接合部（シール部）１１５には、リング状のゴムパッキン（裏蓋パッキン）１１４が圧縮状態で介挿されている。この構成によりシール部１１５が液密に封止され、防水機能が得られる。
【００４９】
りゅうず１０７の軸部１０７１の途中の外周には溝１０７２が形成され、この溝１０７２内にはリング状のゴムパッキン（りゅうずパッキン）１１３が嵌合されている。ゴムパッキン１１３は巻真パイプ１０６の内周面に密着し、該内周面と溝１０７２の内面との間で圧縮される。この構成により、りゅうず１０７と巻真パイプ１０６との間が液密に封止され防水機能が得られる。なお、りゅうず１０７を回転操作したとき、ゴムパッキン１１３は軸部１０７１と共に回転し、巻真パイプ１０６の内周面に密着しながら周方向に摺動する。
【００５０】
上記のような携帯時計（腕時計）は、各種時計の中でも特に優れた耐久性（例えば、耐衝撃性等）が求められるものである。このため、優れた美的外観とともに、優れた耐久性が得られる時計用文字板１を、より好適に適用することができる。
なお、上記の説明では、時計の一例として、腕時計（携帯時計）を挙げて説明したが、本発明は、腕時計以外の携帯時計、置時計、掛け時計等の他の種類の時計にも同様に適用することができる。
【００５１】
以上、本発明の好適な実施形態について説明したが、本発明は、これらに限定されるものではない。
例えば、本発明の時計用文字板は、上述したような方法を用いて製造されたものに限定されない。
また、本発明の時計用文字板を製造する際には、上述した以外の工程を設けてもよい。例えば、コート層を形成する工程を設けてもよい。これにより、例えば、色調等を調整し、時計用文字板の美的外観をさらに優れたものにしたり、時計用文字板全体としての、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。
【００５２】
また、図示に示す構成では、粉末が、基部と金属薄膜とからなるものであるが、例えば、基部と金属薄膜との間には、少なくとも１層の中間層が設けられていてもよい。
また、上述した実施形態では、粉末が、光を反射する機能を有するものである場合について代表的に説明したが、粉末はこのような機能を有していないものであってもよい。
また、上述した実施形態では、基板上の一部に所定のパターンで組成物を付与することにより分散部を形成するものとして説明したが、組成物は、基板の全面に付与するものであってもよい。また、本発明において、分散部は、指標として機能するものでなくてもよい。
【００５３】
また、上述した実施形態では、基板上に分散部が設けられた構成について説明したが、本発明の時計用文字板は、分散部を有するものであればよく、基板を有していないものであってもよい。例えば、時計用文字板全体が、分散部で構成されたものであってもよい。
また、上述した実施形態では、分散部を形成する基板として、時計用文字板に対応する形状のものを用いる場合について中心的に説明したが、分散部を形成する基板としてシート状の部材を用い、分散部を形成した後に、打ち抜き成形等により、前記シート状の部材を時計用文字板に加工してもよい。
また、上述した製造方法の実施形態では、分散部が、硬化性樹脂の硬化物中に粉末が分散した構成を有するものである場合について中心的に説明したが、分散部においては、硬化性樹脂の代わりに、例えば、熱可塑性樹脂やガラス材料が含まれるものであってもよい。
【００５４】
また、上述した実施形態では、基板の表面が平坦な場合について代表的に説明したが、基板の表面には、粉末の主面が異なる方向を向くようにする異方向配置手段としての凹凸面が設けられていてもよい。これにより、分散部の表面に、複数の平坦面を好適に形成することができ、時計用文字板の美的外観を確実に優れたものとすることができるとともに、時計用文字板を、より高級感に溢れたものとすることができる。
【００５５】
このような場合、以下の条件を満足するのが好ましい。
すなわち、凹凸面の高低差は、５０μｍ以上２２０μｍ以下であるのが好ましく、７０μｍ以上１８０μｍ以下であるのがより好ましい。これにより、粉末を効率よく様々な方向を向くものとすることができ、時計用文字板の美的外観を特に優れたものとすることができる。
また、凹凸面の高低差をＸ［μｍ］、粉末の平均粒径をＹ［μｍ］としたとき、０．３≦Ｘ／Ｙ≦１．７の関係を満足するのが好ましく、０．５≦Ｘ／Ｙ≦１．５の関係を満足するのがより好ましい。このような関係を満足することにより、時計用文字板の美的外観を特に優れたものとすることができる。
【００５６】
また、分散部中には、上述したような粉末に加え、異方向配置部材を異方向配置手段として含むものであってもよい。すなわち、基板とは別体の異方向配置手段が、分散部中に含まれていてもよい。このような場合にも、分散部の表面に、複数の平坦面を好適に形成することができ、時計用文字板の美的外観を確実に優れたものとすることができるとともに、時計用文字板を、より高級感に溢れたものとすることができる。また、異方向配置手段としての異方向配置部材を、基板とは別体として備えることにより、基板上に供給する異方向配置部材の量、異方向配置部材の大きさ等を選択することにより、時計用文字板の美的外観の多様性の幅を容易に広げることができ、多品目生産にも好適に対応することができる。このように異方向配置部材を含む分散部は、粉末と硬化性樹脂と異方向配置部材とを含む組成物を用いることにより好適に形成することができる。
このような場合、異方向配置部材は、いかなる形状を有するものであってもよく、例えば、略球形状、略円柱形状、略角柱状、繊維質で構成されたシート状のもの等を用いることができるが、略球形状または略円柱形状をなすものであるのが好ましい。これにより、時計用文字板の美的外観を特に優れたものとすることができる。
【００５７】
また、異方向配置部材の高さ（異方向配置部材が略球形状または略円柱形状をなすものである場合には、その直径）は、５０μｍ以上２２０μｍ以下であるのが好ましく、７０μｍ以上１８０μｍ以下であるのがより好ましい。異方向配置部材の高さが前記範囲内の値であると、時計用文字板の美的外観を特に優れたものとすることができる。
また、異方向配置部材の高さをＸ［μｍ］、粉末３１の平均粒径をＹ［μｍ］としたとき、０．３≦Ｘ／Ｙ≦１．７の関係を満足するのが好ましく、０．５≦Ｘ／Ｙ≦１．５の関係を満足するのがより好ましい。このような関係を満足することにより、時計用文字板の美的外観を特に優れたものとすることができる。
【００５８】
また、異方向配置部材は、いかなる材料で構成されたものであってもよいが、光透過性を有する材料で構成されたものであるのが好ましい。
また、異方向配置部材の構成材料の屈折率をｎＯ、基板の構成材料の屈折率をｎＢとしたとき、｜ｎＯ−ｎＢ｜≦０．１８の関係を満足するのが好ましく、｜ｎＯ−ｎＢ｜≦０．０７の関係を満足するのがより好ましい。このような関係を満足することにより、時計用文字板の美的外観を特に優れたものとすることができる。
【符号の説明】
【００５９】
１…時計用文字板  ２…基板（文字板本体）  ３…分散部  ３１…粉末（光沢性粉末）  ３１１…基部  ３１２…  金属薄膜  ３２…分散媒（硬化部）  ３３…平坦面  ３’…組成物  ３２’…硬化性樹脂  １０１…ムーブメント  １０２…胴（ケース）  １０３…裏蓋  １０４…ベゼル（縁）  １０５…ガラス板（カバーガラス）  １０６…巻真パイプ  １０７…りゅうず  １０７１…軸部  １０７２…溝  １０８…プラスチックパッキン  １０９…プラスチックパッキン  １１３…ゴムパッキン（りゅうずパッキン）  １１４…ゴムパッキン（裏蓋パッキン）  １１５…接合部（シール部）  １００…腕時計（携帯時計）
【図１】
2011043361.tif 000003
【図２】
2011043361.tif 000004
【図３】
2011043361.tif 000005